(57)【要約】【課題】カッターナイフのスライダーをホルダー外部へ取り出すことなく、替刃交換のできる安全カッターホルダーとスライダーを提供する。【解決手段】カッターホルダー１に連結脱着スロープ３や支持突起開放口２０を設け、スライダー本体６またはスライダー連結突起７が替刃交換の妨げにならないよう位置させることを特徴とする。【選択図】図１
2015167844.tif 000002
【特許請求の範囲】
【請求項１】
スライダーと前記スライダーとカッター刃を収納するホルダーを有し、前記スライダーを前記ホルダー外部に取り出すことなく、後部挿脱口からの前記カッター刃の出し入れが可能なことを特徴とするカッター。
【請求項２】
前記ホルダーと可動的に接続された、前記スライダーが前記ホルダーに対して可動することにより前記カッター刃と前記スライダー間の距離が変化することを特徴とする請求項１に記載のカッター。
【請求項３】
前記カッターホルダーの替刃交換口が替刃収納ケースに連結できる、請求項１に記載のカッター。
【請求項４】
前記スライダーの突起先端を前記ホルダーの内側に向けたことを特徴とする請求項１に記載のカッター。
【請求項５】
カッターナイフ本体の少なくとも一部分に磁性体を有する請求項１に記載のカッター。
【請求項６】
前記カッター刃を所定の位置に止まらせるため、ホルダー内部に凹凸を有する請求項１に記載のカッター。
【請求項７】
前記カッター刃を所定の位置に止まらせるための弾性体を有する請求項１に記載のカッター。
【発明の詳細な説明】
【技術分野】
【０００１】この発明は、カッターナイフホルダーからスライダーを外す事なくカッター刃を交換できる安全カッターホルダーとスライダーに関するものである。
【背景技術】
【０００２】従来の替刃式カッターナイフは刃の交換時、ホルダー部分からスライダー部分を交換刃と一緒に引き抜かなければならず、少なくともカッターホルダーとスライダーと替刃の３点を持っての替刃作業は手間と危険を伴った。又、カートリッジ式カッターナイフは壁紙の施工などに使用すると壁紙の糊が刃に付着し、ホルダー内部に刃を戻すと前記糊がホルダー内部に備えてある新しい刃にも付着してしまうし内蔵される刃の重量や容積により使いにくさがあった。
【先行技術文献】
【０００３】
【特許文献１】特開２００８−４３５９９号公報
【発明の概要】
【発明が解決しようとする課題】
【０００４】これは次のような欠点があった。
従来カッターナイフの刃を支持するスライダー連結突起はカッターホルダーの内側より、カッター刃連結穴を通し、カッターホルダーのスライダー可動溝の有る外側方向に向けスライダーと刃を連結させている。そして、交換刃は替刃挿入口から見てスライダーより奥に位置しているため、カッター刃交換時、スライダー本体が妨げとなり、スライダーを外さずに不要な刃を替刃交換口方向へ排出する事も、挿入する事も出来ない。
前記の結果、替刃と共に引き出されたスライダー部分は邪魔になったり、紛失する事も有る。何より片手にカッターナイフ本体を持ち、もう一方の手でスライダーと替刃を組み合わせたものをカッターナイフホルダー内部に挿入する事は大変危険な作業である。
又、従来のカートリッジ式カッターナイフは、ホルダー先端より不要な刃を排出する構造のため、短くなった刃は先端から抜け落ちる難点がある。そして、ホルダー内部に備えた交換刃の重量や容積により使いにくさを伴う。カートリッジ式カッターナイフも前記従来カッターナイフ同様にスライダーをホルダーより外さず替刃交換口より刃を出し入れできない。
本発明は、以上のような欠点をなくすためになされたものである。
【課題を解決するための手段】
【０００５】カッター刃とスライダーを連結させるスライダー突起の向きをスライダースライド溝からカッターホルダー内側方向へ向いたスライダーを設ける。刃の交換時、カッターホルダー内部に有る不要となったカッター刃と連結しているスライダーと共に替刃交換口方向へスライドさせ、回避台上へ移動させる事によりスライダーは連結脱着スロープによりホルダーの外側へ位置されるため、スライダーとカッター刃間の距離が大きくなりスライダー突起がカッター刃連結穴から外れ、かつ不要刃の排出や新しい刃の挿入を妨げないのでホルダーからスライダーを取り出すことなく替刃交換を行える。【０００６】又、連結脱着スロープを設けなくてもスライダーに弾性体を設け、カッターホルダー内側２２に接触したときの前記スライダー弾性体１７の復元力を利用し、跳ね上がる形状（図４）などにして、スライダーと刃を分離させる事もできる。その他弾性体を使用しない形状（図５）でもスライダーにレバーを設け、前記スライダーレバー２１に力をＡ方向に加えれば、スライダー連結突起はＢ方向に移動し、刃とスライダーは分離する。スライダー突起７の長さをスライダー底面２３より長くすることにより、回避台を設けなくてもスライダーが交換刃の出し入れを妨げない。【０００７】又、その他の方法の一例として、スライダー突起の向きが従来のホルダー内側からカッター刃を連結するスライダー突起形状でも、スライダー本体、又は、スライダー突起部分へ連結を解除する力が加わるようにし、（図６）カッター刃とスライダーを分離した後、スライダーをカッター刃の排出する妨げにならない位置に移動するか、替刃交換口を広げる事で［０００５］［０００６］同様、スライダーを取り出さず替刃交換口方向より替刃作業が行える。
【発明の効果】
【０００８】スライダーをカッターホルダーより外さず替刃交換口より替刃交換を行える事により、スライダーの紛失をなくせるだけでなく、従来危険であった替刃作業を安全に行える。又、前記スライダーを外さないホルダー先端と逆方向からの替刃交換は、従来のカートリッジ式カッターナイフのホルダー先端からの刃の抜けをなくし、さらに一枚づつ刃をホルダー内に送り出す替刃収納ケースと替刃交換口への連結による替刃交換を可能にする。その為、カートリッジ式カッターナイフのカートリッジ内の替刃による重量や容積による使いづらさを改善でき、替刃に直接手を触れることなく替刃作業が可能となり、さらなる安全性と替刃作業の時間を短縮できる。
【図面の簡単な説明】
【０００９】
【図１】本発明の斜視図である。
【図２】本発明の分解斜視図である。
【図３】本発明の弾性体付きスライダーである。
【図４】本発明の弾性体付きスライダーの跳ね上がった状態である。
【図５】本発明のレバー付きスライダーである。
【図６】本発明の外向き連結突起スライダー側面図である。
【発明を実施するための形態】
【００１０】以下、図面を参照しながら、本発明を実施するための形態について説明する。
なお、本明細書及び図面においては、同一の符号が付された構成要素は実質的に同一の構造または機能を有するものとする。
【００１１】図１は本発明にかかるカッターホルダーとスライダーの一例として構成を示す斜視図である。１は本体の一部を構成するカッターホルダーで、回避台４を設けたホルダーの形状とそれに合わせたスライダー６の形状により、カッターホルダー１からスライダー６を取り出すことなく、ホルダー先端９ではなく替刃交換口８方向よりホルダー内カッター刃を取り出したり、替刃を挿入することができる。
【００１２】刃調整位置２はホルダー先端９から突出させる刃１４の長さを調整する。スライダー６がこの位置２にある時、刃１４とスライダー６は連結されている。
【００１３】連結脱着スロープ３はホルダー内にあるカッター刃１４とスライダー６間の距離を変えるために設けられ、前記刃１４とスライダー６に設けたカッター刃連結穴１６とスライダー連結突起７を脱着する。そして回避台４に位置したスライダー６は替刃作業の妨げにならない。
【００１４】ホルダーカバー５はカッターホルダーを持ちやすくするだけでなく、磁石１２を設けることにより、装填した刃１４を所定の位置に止まらせることができる。又、刃セッティングスプリング１３やカッターホルダー内部などに凹みや凸を設け、引っ掛かるようにし、刃を止めることでも同様の効果が得られる。
【００１５】スライダー突起７先端を内側に向け設けることで簡易な構造で、本発明のホルダー１からスライダー６を外さない替刃交換が行える。
【００１６】替刃交換口８に図２に記載の替刃収納ケース１０を連結させ、替刃送り出しレバー１１で、替刃ケース内カッター刃１５をホルダー１内部に装填させることで、より安全な替刃交換が行える。
【００１７】図３、図４は本発明を実施する為のその他の形態の一例である。スライダーに設けた弾性体１７がホルダー内側部分２２に接触することにより、スライダー跳ね上げ軸１８を軸とし、スライダー突起部分がＢ方向へ移動しようとする力が生じる。スライダー支持突起１９が支持突起開放口２０より抜け出ることで、前記形態同様カッター刃とスライダー間の距離が変わり、カッター刃連結穴１６とスライダー連結突起７が分離する。
【００１８】図５は図３の弾性体１７の代わりに、レバー２１を設けたスライダーである。レバーをＡ方向に押し込む力を加えると前記弾性体付きスライダー同様に可動する。
【００１９】図４のようにカッター刃連結穴１６からスライダー連結突起７が外れることにより、スライダー６をカッターホルダー１から取り出すことなくカッター刃１４を替刃交換口８より排出し新しい刃１５を挿入できる。
【００２０】本発明は以上のような構造である。この構造によりカッターホルダーからスライダーを取り出すことなく替刃交換口よりの安全な替刃交換が行える。
【００２１】以上、図面を参照しながら本発明の好適な実施の形態について説明したが、本発明は上述した形態に限定されない。すなわち、特許請求の範囲に記載された発明の範囲内で当業者が想到し得る形態または各種の変更例についても本発明の技術的範囲に属するものと理解される。
【００２２】１    カッターホルダー
２    刃調整位置
３    連結脱着スロープ
４    回避台
５    ホルダーカバー
６    スライダー
７    スライダー連結突起
８    替刃交換口
９    ホルダー先端
１０  替刃収納ケース
１１  替刃送り出しレバー
１２  刃セッティング磁石
１３  刃セッティングスプリング
１４  ホルダー内カッター刃
１５  替刃ケース内カッター刃
１６  カッター刃連結穴
１７  スライダー弾性体
１８  スライダー跳ね上げ軸
１９  スライダー支持突起
２０  支持突起開放口
２１  スライダーレバー
２２  ホルダー内側部分
２３  スライダー底面
【図１】
2015167844.tif 000003
【図２】
2015167844.tif 000004
【図３】
2015167844.tif 000005
【図４】
2015167844.tif 000006
【図５】
2015167844.tif 000007
【図６】
2015167844.tif 000008